(57)【要約】【課題】魚が掛かった時など横桿が下方側に曲がって魚の引きを十分に緩和し、屈曲部の折れを防止した釣り用天秤を提供することである。【解決手段】釣り用天秤１は、ステンレスや超弾性合金のニッケルチタン合金等の金属製の線材で形成された上下方向に延びるように配される縦桿２と、縦桿２に添設され縦桿２から周方向外方に突出する縦桿２と一体の金属製の線材で形成された横桿３を有し、横桿３は、連結部材Ｃの下側の基端部３ａの下側に屈曲部３ｂが形成されると共に屈曲部３ｂの先に横軸部３ｃが縦桿２に対して略直角にその周方向へ突出形成されて先端側に仕掛け止着部３ｄが形成されている。  横桿３の横軸部３ｃは屈曲部３ｂ側の外径をａ、横軸部３ｃの先端側の外径をｂとすると、横軸部３ｃの外形は外径ａから外径ｂに徐々に細くなるテ−パ−状に形成されている。【選択図】    図１
2010233469.tif 000002
【特許請求の範囲】
【請求項１】
金属線材を折り曲げて形成した屈曲部を介して上下方向の縦桿と該縦桿から外方に突出する横桿を有する釣り用天秤において、前記横桿を屈曲部から先端側に向けて徐々に細くなるテ−パ−状に形成したことを特徴とする釣り用天秤。
【請求項２】
金属線材を折り曲げて形成した屈曲部を介して上下方向の縦桿と該縦桿から外方に突出する横桿を有する釣り用天秤において、前記横桿を屈曲部から先端側に向けて徐々に偏平形状になるように形成したことを特徴とする請求項１に記載の釣り用天秤。
【請求項３】
横桿は超弾性合金で形成されたことを特徴とする請求項１及び２に記載の釣り用天秤。
【発明の詳細な説明】
【技術分野】
【０００１】
本発明は、釣り用天秤に関する。
【背景技術】
【０００２】
従来から釣りには釣り用天秤が使用され、特に、船釣り等では、幹糸（道糸）に対して枝素（ハリス）の位置をずらして取り付け、仕掛けの上げ下ろし操作において絡みを防止する工夫がなされている。
釣り用天秤は特許文献１のように主に金属線材を折り曲げて上端（先端）にリングなどの幹糸の取り付け部が形成され、この折り曲げ部から下側の一側側が縦桿となり、縦桿に沿った他側側と縦桿は折り曲げ部の下側で結束金具で結束され、他側側の結束金具より下側は屈曲されて屈曲部より先が横桿となり、横桿は縦桿に対して横方向に向かって突出されて横桿の先端にもリングなどの枝素の取り付け部が形成されている。
縦桿の下端のリング状の取り付け部に重りが取り付けられる。
このような釣り用天秤は、魚が掛かった時など横桿が下方に曲がって魚の引きを緩和するが、すぐに屈曲部まで曲がってしまい横桿が真下を向いて緩和効果が十分でなく、また、屈曲部に応力が掛かって変形してしまう虞がある。
【特許文献１】実開平１−１２１３７７号公報
【発明の概要】
【発明が解決しようとする課題】
【０００３】
解決しようとする問題点は、魚の引きを緩和する効果が十分でなく、結束金具の下側の屈曲部に応力が集中して変形しやすかった。
【０００４】
本発明の目的は前記欠点に鑑み、魚が掛かった時など横桿が下方側に曲がって魚の引きを十分に緩和し、屈曲部の折れを防止した釣り用天秤を提供することである。
【課題を解決するための手段】
【０００５】
本発明の請求項１は、金属線材を折り曲げて形成した屈曲部を介して上下方向の縦桿と該縦桿から外方に突出する横桿を有する釣り用天秤において、前記横桿を屈曲部から先端側に向けて徐々に細くなるテ−パ−状に形成したことを要旨とするものである。
本発明の請求項２は、金属線材を折り曲げて形成した屈曲部を介して上下方向の縦桿と該縦桿から外方に突出する横桿を有する釣り用天秤において、前記横桿を屈曲部から先端側に向けて徐々に偏平形状になるように形成したことを要旨とするものである。
本発明の請求項３は、横桿は超弾性合金で形成されたことを要旨とするものである。
【発明の効果】
【０００６】
本発明の請求項１によると、横桿の横軸部の外形は屈曲部側の外径から先端側の外径が徐々に細くなるテ−パ−状に形成されているので、魚が掛かった時など横桿が先端に行くほど下方側に曲がって魚の引きを緩和し、屈曲部に応力の集中を抑制し屈曲部の折れを防止することができる。
本発明の請求項２によると、横桿の横軸部は屈曲部側の外形を円形とし、横軸部の先端側の外形を楕円形とし、横軸部の外形を円形から外形を楕円形と徐々に偏平形状になるように形成されているので、横桿の左右への曲がりが抑制され、仕掛けの絡みが防止される。
さらに、上下の曲がりが繊細となり、魚信が伝わり易く掛かった鈎が外れにくくなる。
本発明の請求項３によると、超弾性合金で形成されて塑性変形しにくい点で横桿に適しており、撓っても破損しにくい。
【産業上の利用可能性】
【０００７】
本発明は釣り用天秤全般に利用できる。
【図面の簡単な説明】
【０００８】
【図１】第１実施例で、仕掛けを取り付けた釣り用天秤の側面図である。
【図２】同横桿の先端側から見た拡大断面背面図である。
【図３】第２実施例で、仕掛けを取り付けた釣り用天秤の側面図である。
【図４】同横桿の先端側から見た拡大断面背面図である。
【発明を実施するための最良の形態】
【０００９】
釣り用天秤１は、ステンレスや超弾性合金のニッケルチタン合金等の金属製の線材で形成された上下方向に延びるように配される縦桿２と、縦桿２に添設され縦桿２から周方向外方に突出する縦桿２と一体の金属製の線材で形成された横桿３を有している。
縦桿２は、その先端と下端を折曲して折り返し、それぞれ仕掛け止着部２ａ、２ｂが形成され、縦桿２の途中はリベット等の連結部材Ｃで締め付けて保持され、止着部２ａ、２ｂがリング形状を維持している。
横桿３は、連結部材Ｃの下側の基端部３ａの下側に屈曲部３ｂが形成されると共に屈曲部３ｂの先に横軸部３ｃが縦桿２に対して略直角にその周方向へ突出形成されて先端側に仕掛け止着部３ｄが形成されている。
横桿３の横軸部３ｃは屈曲部３ｂ側の外径をａ、横軸部３ｃの先端側の外径をｂとすると、横軸部３ｃの外形は外径ａから外径ｂに徐々に細くなるテ−パ−状に形成されている。
【実施例１】
【００１０】
以下、図示の実施例によって本発明を説明すると、図１、図２は第１実施例で、図１は仕掛けを取り付けた釣り用天秤の側面図、図２は横桿の先端側から見た拡大断面背面図である。
【００１１】
釣り用天秤１は、ステンレスや超弾性合金のニッケルチタン合金等の金属製の線材で形成された上下方向に延びるように配される縦桿２と、縦桿２に添設され縦桿２から周方向外方に突出する縦桿２と一体の金属製の線材で形成された横桿３を有している。
縦桿２は、その先端と下端を折曲して折り返し、それぞれ仕掛け止着部２ａ、２ｂが形成され、縦桿２の途中はリベット等の連結部材Ｃで締め付けて保持され、止着部２ａ、２ｂがリング形状を維持している。
【００１２】
横桿３は、連結部材Ｃの下側の基端部３ａの下側に屈曲部３ｂが形成されると共に屈曲部３ｂの先に横軸部３ｃが縦桿２に対して略直角にその周方向へ突出形成されて先端側に仕掛け止着部３ｄが形成されている。
横桿３の横軸部３ｃは屈曲部３ｂ側の外径をａ、横軸部３ｃの先端側の外径をｂとすると、横軸部３ｃの外形は外径ａから外径ｂに徐々に細くなるテ−パ−状に形成されている。
【００１３】
縦桿２の上端の仕掛け止着部２ａには、道糸４が止着され、縦桿２の下端の仕掛け止着部２ｂには、ヨリモドシ５とスナップ６が設けられ、錘、ビシ等の重り７が容易に取り付け、取り外しできるようになっている。
さらに、横桿３の先端側の仕掛け止着部３ｄに釣り針８を取り付けたハリス９等の仕掛けを止着できるようになっている。  
【００１４】
縦桿２は、重り７を取り付け、横桿３が固定されてこれを支持するため剛性の大きい材料で形成され、横桿３は、釣り針８に掛かった魚の引き込みに合わせて撓むように縦桿２よりも剛性が小さく、また、縦桿２よりも長く形成されているため、掛かった魚から釣り針８が外れたり、ハリス９が切れたりすることが防止される。
魚の引き込みに対し、釣り針８が掛かった部分やハリス９に急な力がかからず、釣り針８が外れたり、ハリス９が切れたりしにくい。
【００１５】
そして、具体的には、縦桿２と横桿３はステンレスやニッケルチタン合金で形成されており、ニッケルチタン合金は超弾性の性質を有し塑性変形しにくい点で横桿３に適しており、撓っても破損しにくい。  
【００１６】
前記のように釣り用天秤１が構成されると、魚が掛かった時など横桿３の横軸部３ｃの外径は屈曲部３ｂが最も太く形成され基端部３ａの外径ａから先端部の外径ｂに徐々に細くなるテ−パ−状に形成されているので、先端側が下方側に曲がって魚の引きを緩和して、基端部３ａや屈曲部３ｂの折れを防止することができる。
屈曲部３ｂよりも先端側から曲がるため、屈曲部３ｃの中間部に応力が集中しないため横桿３の折れが防止される。
【実施例２】
【００１７】
図３、図４は第２実施例で、図３は仕掛けを取り付けた釣り用天秤の断面側面図、図４は横桿の先端側から見た拡大断面背面図である。
【００１８】
釣り用天秤１′は、ステンレスや超弾性合金のニッケルチタン合金等の金属製の線材で形成された上下方向に延びるように配される縦桿２と、縦桿２に添設され縦桿２から周方向外方に突出する縦桿２と一体の金属製の線材で形成された横桿３を有している。
縦桿２は、その先端と下端を折曲して折り返し、それぞれ仕掛け止着部２ａ、２ｂが形成され、それぞれの仕掛け止着部２ａ、２ｂの折り返し部分は縦桿２に添設されたリベット等の連結部材Ｃで締め付けて保持され、止着部２ａ、２ｂがリング形状を維持している。
【００１９】
横桿３は、連結部材Ｃの下側の基端部３ａの下側に屈曲部３ｂが形成されると共に屈曲部３ｂの先に横軸部３ｃが縦桿２に対して略直角にその周方向へ突出形成されて先端側に仕掛け止着部３ｄが形成されている。
横軸部３ｃは屈曲部３ｂ側が最も太く、また、その外形を基端部ａで断面を円形とし、横軸部３ｃの先端側の外形を先端部ｃで断面を楕円形とし、横軸部３ｃの外形の円形ａから外形を楕円形ｃと徐々に偏平形状になって、かつ、テ−パ−状に先細りになるように形成されている。
他の構成は前記第１実施例と略同一である。
前記偏平形状を短冊形状になるように形成してもよい。
【００２０】
前記のように釣り用天秤１′が構成されると、横桿３の横軸部３ｃは屈曲部３ｂ側の外形を円形とし、横軸部３ｃの先端側の外形を楕円形とし、横軸部３ｃの外形を円形ａから外形を楕円形ｃと徐々に偏平形状になるように形成されているので、横桿３の左右への曲がりが抑制され、上下方向に捩れないで曲がり仕掛けの絡みが防止される。
さらに、上下の曲がりが繊細となり、魚信が伝わり易く掛かった鈎が外れにくくなる。
【符号の説明】
【００２１】
１、１′  釣り用天秤
２  縦桿
３  横桿
３ｂ  屈曲部
【図１】
2010233469.tif 000003
【図２】
2010233469.tif 000004
【図３】
2010233469.tif 000005
【図４】
2010233469.tif 000006